(57)【特許請求の範囲】
【請求項１】
建築物を構成し埋め込み孔が形成された設置部の背面側に設置される照明器具であって、
光を放射する光源を有する照明負荷と、
一の面に第１の開口面が形成された固定部材、及び前記照明負荷の周囲のうち前記第１の開口面とは反対側に設けられて前記光源から前記第１の開口面の方向とは異なる方向に放射された光を前記第１の開口面の方向に反射させる第１の反射部材を有し、前記照明負荷を収納した本体ユニットと、
前記第１の開口面の外方に設けられて前記光源から放射された光を反射させる第２の反射部材を有するセードと、
前記光源から放射された光、前記第１の反射部材で反射した光及び前記第２の反射部材で反射した光を通過させる第２の開口面が形成され前記埋め込み孔に嵌合する枠本体、及び前記枠本体の外縁から外方に設けられた縁部を有し、前記枠本体の前記埋め込み孔への嵌合時に、前記第２の開口面が前記第１の開口面と直角を有して当該第１の開口面の外方に設けられるように前記本体ユニットと前記設置部とによって前記縁部が挟持される枠部と
を備えることを特徴とする照明器具。
【請求項２】
前記光源から放射された光が、前記第１の反射部材及び前記第２の反射部材で反射して前記設置部と直交する被照射面を照射することを特徴とする請求項１記載の照明器具。
【請求項３】
前記照明負荷が、直管状に形成され、軸方向を前記第１の開口面の法線方向及び前記第２の開口面の法線方向と直交させて前記本体ユニットに収納されることを特徴とする請求項１又は２記載の照明器具。
【請求項４】
前記軸方向において、前記第１の反射部材の長さが前記照明負荷の長さより長く、
前記光源が、前記第１の反射部材の中央部分に対向する
ことを特徴とする請求項３記載の照明器具。
【請求項５】
前記照明負荷が前記本体ユニットから着脱自在であることを特徴とする請求項１〜４のいずれか記載の照明器具。
【請求項６】
前記第１の反射部材で反射した光が、前記被照射面の前記設置部に近い領域を照射し、
前記第２の反射部材で反射した光が、前記被照射面の前記設置部から遠い領域を照射する
ことを特徴とする請求項２記載の照明器具。
【請求項７】
前記第１の開口面の法線方向及び前記第２の開口面の法線方向と直交する方向から見て、前記第１の反射部材の前記第２の開口面に近い側で反射した光と、前記第１の反射部材の前記第２の開口面から遠い側で反射した光とが、交差して前記被照射面を照射することを特徴とする請求項６記載の照明器具。
【発明の詳細な説明】
【技術分野】
【０００１】
本発明は、照明器具に関するものである。
【背景技術】
【０００２】
従来、この種の照明器具は、例えば店舗や通路などの屋内の天井又は側壁の背面側に設置される埋め込み型のウォッシャライトである。この照明器具は、光源を備えるとともに、光源から所定の方向に放射された光を制限する遮光カバーや反射板を備える。例えば、天井に設置されて壁面を照射する場合、天井に対向する床面を照射する必要がなく、光源からの直接光及び反射光によるまぶしさを低減するために光源の正面に遮光カバーを備える。また、側壁に設置されて天井面又は床面を照射する場合も、照明器具が設置された側壁に対向する他の壁面を照射する必要がなく同様の処理を施している。これにより、光源からの直接光及び反射光のまぶしさを抑えることができる。
【０００３】
上記従来の照明器具の一例として、特許文献１には、浴室の天井部に設置され、光源と、光源から下方に放射された光を遮るカバーとを備える浴室間接照明装置が開示されている。
【特許文献１】特開２００２−２１６５１８号公報（第３，４頁及び第１，５図）
【発明の開示】
【発明が解決しようとする課題】
【０００４】
しかしながら、上記従来の照明器具は、遮光カバーを光源の正面に備えることによって見栄えが悪くなるとともに、光源から放射された光の効率を低下させてしまうという問題があった。また、上記従来の照明器具は、埋め込み孔を保護していないという問題もあった。
【０００５】
本発明は上記の点に鑑みて為されたものであり、その目的とするところは、設置部の正面方向からのまぶしさを抑え、埋め込み孔を保護しつつ見栄えのよい照明器具を提供することにある。
【課題を解決するための手段】
【０００６】
請求項１に記載の発明は、建築物を構成し埋め込み孔が形成された設置部の背面側に設置される照明器具であって、光を放射する光源を有する照明負荷と、一の面に第１の開口面が形成された固定部材、及び前記照明負荷の周囲のうち前記第１の開口面とは反対側に設けられて前記光源から前記第１の開口面の方向とは異なる方向に放射された光を前記第１の開口面の方向に反射させる第１の反射部材を有し、前記照明負荷を収納した本体ユニットと、前記第１の開口面の外方に設けられて前記光源から放射された光を反射させる第２の反射部材を有するセードと、前記光源から放射された光、前記第１の反射部材で反射した光及び前記第２の反射部材で反射した光を通過させる第２の開口面が形成され前記埋め込み孔に嵌合する枠本体、及び前記枠本体の外縁から外方に設けられた縁部を有し、前記枠本体の前記埋め込み孔への嵌合時に、前記第２の開口面が前記第１の開口面と直角を有して当該第１の開口面の外方に設けられるように前記本体ユニットと前記設置部とによって前記縁部が挟持される枠部とを備えることを特徴とする。
【０００７】
この構成によれば、照明器具を設置部の背面側に設置したときに、第２の開口面の正面方向から光源が直視されることを防止することができるので、直射グレアの発生を低減することができ、第２の開口面の正面方向へのまぶしさを抑えることができるとともに、見栄えをよくすることができる。また、本体ユニットと設置部とによって枠部を挟持することができるので、埋め込み孔を保護しつつ見栄えをよくすることができる。さらに、照明器具の構成を本体ユニット、セード、枠部に分割することができるので、設置部の背面側の設置スペースが狭い場合であっても照明器具を容易に設置することができる。
【０００８】
請求項２に記載の発明は、請求項１に記載の発明において、前記光源から放射された光が、前記第１の反射部材及び前記第２の反射部材で反射して前記設置部と直交する被照射面を照射することを特徴とする。この構成によれば、第２の開口面の正面方向における反射グレアを抑えることができ、第１の反射部材及び第２の反射部材の存在感を低減することができるとともに、被照射面に対して高品位な光を照射することができる。
【０００９】
請求項３に記載の発明は、請求項１又は２に記載の発明において、前記照明負荷が、直管状に形成され、軸方向を前記第１の開口面の法線方向及び前記第２の開口面の法線方向と直交させて前記本体ユニットに収納されることを特徴とする。この構成によれば、照明負荷の軸方向に対して光の広がりを確保することができる。
【００１０】
請求項４に記載の発明は、請求項３に記載の発明において、前記軸方向において、前記第１の反射部材の長さが前記照明負荷の長さより長く、前記光源が、前記第１の反射部材の中央部分に対向することを特徴とする。この構成によれば、被照射面に緩やかな照度勾配の分布を提供することができるとともに、照明負荷及び第１の反射部材の部品ばらつきを吸収することができるので、安定した照射パターンを得ることができる。
【００１１】
請求項５に記載の発明は、請求項１〜４のいずれかに記載の発明において、前記照明負荷が前記本体ユニットから着脱自在であることを特徴とする。この構成によれば、照明負荷を本体ユニットから分離することができるので、設置作業を容易に行うことができる。
【００１２】
請求項６に記載の発明は、請求項２に記載の発明において、前記第１の反射部材で反射した光が、前記被照射面の前記設置部に近い領域を照射し、前記第２の反射部材で反射した光が、前記被照射面の前記設置部から遠い領域を照射することを特徴とする。この構成によれば、光源が設置部の背面側に配置されていても、被照射面の設置部に近い領域から遠い領域まで光の広がりを得ることができる。
【００１３】
請求項７に記載の発明は、請求項６に記載の発明において、前記第１の開口面の法線方向及び前記第２の開口面の法線方向と直交する方向から見て、前記第１の反射部材の前記第２の開口面に近い側で反射した光と、前記第１の反射部材の前記第２の開口面から遠い側で反射した光とが、交差して前記被照射面を照射することを特徴とする。この構成によれば、被照射面の設置部にさらに近い側まで照射することができる。
【発明の効果】
【００１４】
本発明によれば、直射グレアの発生を低減することができ正面方向へのまぶしさを抑えることができるとともに、埋め込み孔を保護しつつ見栄えをよくすることができる。
【発明を実施するための最良の形態】
【００１５】
本発明の実施形態について図１〜６を用いて説明する。図１〜５は、本実施形態の照明器具の構成を示す図である。図６は、本実施形態における第１の反射部材の動作を説明する図である。なお、図１〜６においてＸ軸方向が前後方向、Ｙ軸方向が左右方向、Ｚ軸方向が上下方向である。また、Ｘ軸方向、Ｙ軸方向、Ｚ軸方向の矢印の向きはそれぞれ後ろから前への向き、左から右への向き、下から上への向きである。
【００１６】
まず、本実施形態の基本的な構成について説明する。本実施形態の照明器具は、例えば施設におけるロビーやアトリウム、吹き抜け部などに用いられる埋め込み型のウォッシャライトであり、図１に示すように、照明負荷１と、安定器２と、本体ユニット３と、セード４と、ステー５と、フェイス枠（枠部）６とを備えている。この照明器具は、建築物を構成し正方形状の埋め込み孔７０が形成された設置部７の背面７１側に設置され、例えば天井や側壁など、上記設置部７と直交する被照射面７２（図４参照）を主に照射する。これにより、上記照明器具は、施設内の明るさを確保するとともに、光の演出を行う。
【００１７】
照明負荷１は、図５に示すように、細長い筒状つまり直管状に形成されたものであり、光源１０を備えている。光源１０は、電力が供給されると光を放射する。ソケット部１１は、内部で光源１０と接続する接続部１１０と、接続部１１０から外方に突出して設けられた環状の鍔部１１１と、安定器２（図３参照）と電気的に接続するための本体リード線２２（図３参照）を接続する端子を内部に有する端子部１１２（図３参照）とを備えている。固定金具１２は環状に形成され、内径が光源１０及び接続部１１０の外径より大きいものである。
【００１８】
上記照明負荷１は、ソケット部１１の鍔部１１１と固定金具１２とで、後述の固定部材３０の側面部３０１及び嵌合部材３２を挟持することによって、照明負荷１の軸方向を左右方向（図５のＹ軸方向）とし、光源１０が後述の第１の反射部材３１の中央部分に位置するように固定部材３０及び第１の反射部材３１に固定されて本体ユニット３に収納される（図３参照）。また、照明負荷１は、ソケット部１１が固定部材３０から嵌脱することによって、固定部材３０及び第１の反射部材３１から着脱可能である。
【００１９】
安定器２は、図１に示すように、光源１０に電力を供給するものであり、安定器取付台２０に設置される。安定器取付台２０は、例えば板状の金属材料などで形成され、背面部２００と、背面部２００の下端から前方に延設された下面部２０１と、下面部２０１の前端から上方に延設された前面部２０２とを一体に備えている。この安定器取付台２０の左右方向（図１のＹ軸方向）の幅は埋め込み孔７０の幅より小さい。一方、安定器取付台２０の上下方向（図１のＺ軸方向）の高さは、本体ユニット３の高さと安定器２の高さとの和より高い。背面部２００の上端には貫通孔２０３が形成されている。
【００２０】
本体ユニット３は、図５に示すように、固定部材３０と、第１の反射部材３１と、１対の嵌合部材３２，３３とを備え、照明負荷１を収納したものである。固定部材３０は、例えば板状の金属材料などで形成され、長方形状の背面部３００と、背面部３００の両側から前方に延設された１対の側面部３０１，３０２と、各側面部３０１，３０２の前上端から内方に延設された１対の長方形状の取付部３０３，３０３と、背面部３００の上端から後方に延設された延設部３０４と、延設部３０４の後端から上方に延設された長方形状の取付部３０５とを一体に備え、上面に第１の開口面３５が形成されたものである。背面部３００は１対のねじ３４０，３４０を備えている。各側面部３０１，３０２の上端には楕円状の貫通孔３４３が形成されている。また、側面部３０１の中央には嵌合孔３４４が形成されている。嵌合孔３４４の大きさは、ソケット部１１の接続部１１０の外径とほぼ同じである。取付部３０５の中央には円状の貫通孔３４５が形成されている。設置部７の埋め込み孔７０の下端中央付近の奥側に取付ボルト２１（図４参照）が設けられるので、取付部３０５の上下方向（図５のＺ軸方向）の長さを短くすることができ、小型化を図ることができる。上記固定部材３０は、照明負荷１の軸方向を左右方向（図５のＹ軸方向）とし、第１の開口面３５の法線方向（図５のＺ軸方向）、及び後述の第２の開口面６０（図１参照）の法線方向（図１のＸ軸方向）と直交させるように照明負荷１を固定する。なお、貫通孔３４５は上記形状に限定されるものではなく、Ｌ字状のものであってもよい。
【００２１】
第１の反射部材３１は、例えば板状の金属材料などで形成され、長方形状の前面部３１０と、前面部３１０の後端から延設された曲面部３１１と、曲面部３１１の後端から延設された背面部３１２とを一体に備え、照明負荷１の周囲に設けられ、光源１０から放射された光を第１の開口面３５の方向（図５のＺ軸方向）に反射させる。前面部３１０は、左端及び右端のそれぞれに１対の嵌合片３１３，３１３を備えている。背面部３１２は、左端及び右端のそれぞれに嵌合片３１４を備えている。また、図３に示すように、左右方向（図３のＹ軸方向）において、上記第１の反射部材３１の長さＬ２は照明負荷１の長さＬ１より長い。
【００２２】
１対の嵌合部材３２，３３のそれぞれは、図５に示すように、前端に１対の嵌合孔３４１，３４１が形成され、後端に嵌合孔３４２が形成され、後端上部に貫通孔３６１が形成されたものである。また、嵌合部材３２の中央には嵌合孔３６０が形成されている。嵌合孔３６０の大きさは、ソケット部１１の接続部１１０の外径とほぼ同じである。各嵌合部材３２，３３は、嵌合孔３４１に嵌合片３１３が挿入されて折り曲げられ、嵌合孔３４２に嵌合片３１４が挿入されて折り曲げられることによって、第１の反射部材３１と結合する。また、第１の反射部材３１と結合した嵌合部材３２は、図６に示すように、取付ボルト３７が貫通孔３４３，３６１に挿入されて取付ナット３８と螺合されることによって、固定部材３０に対して貫通孔３４３の上下方向（図６のＺ軸方向）の範囲で可動自在となる。嵌合部材３３（図５参照）も同様の手段によって固定部材３０に対して貫通孔３４３の上下方向（図５のＺ軸方向）の範囲で可動自在となる。
【００２３】
セード４は、図１に示すように、セード本体部材４０と、第２の反射部材４１とを備えている。このセード４の左右方向（図１のＹ軸方向）の長さは後述の第２の開口面６０の長さより短い。セード４の上下方向（図１のＺ軸方向）の長さも第２の開口面６０の長さより短い。セード本体部材４０は、正方形状の枠部４００と、枠部４００の両側から後方に設けられた１対の側面部４０１と、枠部４００の上縁から下後方に設けられた背面部４０２とを備えている。背面部４０２は、図４に示すように、長方形状の上端部４０３と、上端部４０３の下端から下後方に延設された曲面部４０４と、曲面部４０４の下端から前方に延設された下端部４０５と、下端部４０５から下方に延設された固定部４０６とを一体に備えている。曲面部４０４には凹部４０７が形成されている。固定部４０６には１対の貫通孔４０８が形成されている。
【００２４】
第２の反射部材４１は、図１に示すように、例えば板状の金属材料などで形成され、背面部４１０と、背面部４１０の両側から前方に延設された１対の側面部４１１，４１１とを一体に備えている。背面部４１０は、図４に示すように、第１の開口面３５と鋭角を有して上記第１の開口面３５の上方に設けられ、光源１０から放射された光を反射させる。各側面部４１１は、図３に示すように、第１の開口面３５と鈍角を有して上記第１の開口面３５の上方に設けられ、光源１０から放射された光を反射させる。
【００２５】
ステー５は、図１に示すように、例えば板状の金属材料などで形成され、背面部５０と、背面部５０から斜め上方に延設された延設部５１と、延設部５１の上端から前方に延設された上面部５２と、上面部５２の前端から下方に延設された取付部５３とを一体に備えている。このステー５の左右方向（図１のＹ軸方向）の幅は埋め込み孔７０の幅より小さい。一方、ステー５の上下方向（図１のＺ軸方向）の高さは埋め込み孔７０の高さと同等である。背面部５０には貫通孔５００が形成されている。取付部５３には１対の貫通孔５３０，５３０が形成されている。
【００２６】
フェイス枠６は、例えば樹脂などで形成されたものであり、光源１０から放射された光を通過させる第２の開口面６０が形成され埋め込み孔７０に嵌合する枠本体６１と、枠本体６１の外縁から外方に設けられた縁部６２とを一体に備えている。フェイス枠６の断面形状はＬ字状である。枠本体６１の幅は設置部７の幅に合わせて形成されている。このフェイス枠６は、図４に示すように、枠本体６１の埋め込み孔７０への嵌合時に、第２の開口面６０が第１の開口面３５と直角を有して上記第１の開口面３５の上方に設けられるように、固定部材３０の取付部３０３及びステー５の取付部５３と設置部７の背面７１とによって縁部６２が挟持固定される。
【００２７】
次に、本実施形態の照明器具の設置部７への取付方法について図１を用いて説明する。なお、設置部７を側壁とする。まず、設置部７の埋め込み孔７０の下端中央付近の奥側に取付ボルト２１を設ける。取付ボルト２１を設けた後、貫通孔２０３に取付ボルト２１を挿入して安定器取付台２０を設置する。安定器取付台２０を設置した後、安定器２に本体リード線２２を接続し、上記安定器２を安定器取付台２０に設置する。安定器２を設置した後、貫通孔３４５に取付ボルト２１を挿入して本体ユニット３を仮設置する。本体ユニット３を仮設置した後、ステー５を埋め込み孔７０から設置部７の背面７１側に挿入し、貫通孔５００を取付ボルト２１に挿入して取付ナット５４を用いて本体ユニット３とともに仮固定する。ステー５を仮固定した後、フェイス枠６の一辺を埋め込み孔７０の対角線に合わせるようにして上記フェイス枠６を設置部７の背面７１側に挿入し、上記背面７１に密着するようにつまみねじ６３，６４でフェイス枠６の位置を調整してフェイス枠６を固定する（図４参照）。フェイス枠６を固定した後、セード４をフェイス枠６の第２の開口面６０から設置部７の背面７１側に挿入し、本体ユニット３の第１の開口面３５にのった状態で仮固定する。セード４を仮固定した後、第１の反射部材３１を下方に押し下げて、本体ユニット３のねじ３４０とセード４の貫通孔４０８を嵌め合わせる（図４参照）。その後、取付ナット４２を用いてセード４を本体ユニット３に固定する。上記のようにすることによって、図２に示すような照明器具を設置部７に取り付けることができる。
【００２８】
続いて、本実施形態の照明器具における光の照射について図４を用いて説明する。光源１０から放射された光は、第１の反射部材３１及び第２の反射部材４１で反射して被照射面７２を照射する。具体的には、第１の反射部材３１で反射された光（図４のＡ，Ｂ）は、被照射面７２において設置部７に近い領域７２０を照射し、第２の反射部材４１で反射された光（図４のＣ）は、被照射面７２において設置部７から遠い領域７２１を照射する。また、第１の開口面３５の法線方向及び第２の開口面６０の法線方向と直交する方向から見て、第１の反射部材３１の第２の開口面６０に近い側で反射した光（図４のＡ）と、第１の反射部材３１の第２の開口面６０から遠い側で反射した光（図４のＢ）とが、交差して被照射面７２を照射する。
【００２９】
以上、本実施形態によれば、照明器具を設置部７の背面７１側に設置したときに、第２の開口面６０の正面方向から光源１０が直視されることを防止することができるので、直射グレアの発生を低減することができ、第２の開口面６０の正面方向へのまぶしさを抑えることができるとともに、見栄えをよくすることができる。また、本体ユニット３及びステー５と設置部７とによってフェイス枠６を挟持固定することができるので、埋め込み孔７０を保護しつつ見栄えをよくすることができる。さらに、照明器具の構成を本体ユニット３、セード４、ステー５、フェイス枠６に分割することができるので、設置部７の背面７１側の設置スペース（図４の幅Ｌ３）が狭い場合であっても照明器具を容易に設置することができる。
【００３０】
上記に追加して、第２の開口面６０における反射グレアを抑えることができ、第１の反射部材３１及び第２の反射部材４１の存在感を低減することができるとともに、被照射面７２に対して高品位な光を照射することができる。また、照明負荷１が直管状に形成されるので、照明負荷１の軸方向に対して光の広がりを確保することができる。さらに、左右方向において第１の反射部材３１の長さが照明負荷１の長さより長く、光源１０を第１の反射部材３１の中央部分に対向しているので、被照射面７２に緩やかな照度勾配の分布を提供することができるとともに、照明負荷１及び第１の反射部材３１の部品ばらつきを吸収することができるので、安定した照射パターンを得ることができる。
【００３１】
また、照明負荷１を本体ユニット３から分離することができるので、本体ユニット３を埋め込み孔７０から内部に容易に挿入することができることによって、設置作業を容易に行うことができる。さらに、光源１０が設置部７の背面７１側に配置されていても、被照射面７２の設置部７に近い領域７２０から遠い領域７２１まで光の広がりを得ることができる。
【図面の簡単な説明】
【００３２】
【図１】本発明による実施形態の照明器具の分解斜視図である。
【図２】同上の照明器具の外観斜視図である。
【図３】同上の照明器具の正面図である。
【図４】同上の照明器具の断面図である。
【図５】同上の照明器具の要部斜視図である。
【図６】同上の照明器具の第１の反射部材であって、（ａ）が一方に調整したときの図、（ｂ）が他方に調整したときの図である。
【符号の説明】
【００３３】
１  照明負荷
１０  光源
３  本体ユニット
３０  固定部材
３１  第１の反射部材
３５  第１の開口面
４  セード
４１  第２の反射部材
５  ステー
６  フェイス枠
６０  第２の開口面
６１  枠本体
６２  縁部
７  設置部
７０  埋め込み孔
【図１】
0004630229.tif 000002
【図２】
0004630229.tif 000003
【図３】
0004630229.tif 000004
【図４】
0004630229.tif 000005
【図５】
0004630229.tif 000006
【図６】
0004630229.tif 000007